(57)【要約】【課題】悪意を持って携帯電話端末の電源がＯＦＦ操作されても救助を求める通報を的確に行う。【解決手段】キー入力部１０と、電源ＯＦＦ操作時に暗証番号のキー入力を催促し、入力された暗証番号と予め登録された暗証番号とを比較照合する暗証番号認証部２０と、認証の成否に応じて緊急メッセージを作成し、予め登録された送信先へ送信する緊急メッセージ送信部３０とを備えた携帯電話端末１００と、携帯電話端末１００が送信した緊急メッセージを受信し記録する記録部８０と、予め予め登録された転送先へ緊急メッセージを転送する転送部９０とを備えた基地局のセンターサーバ２００とを含む。【選択図】図１
2007173951.tif 000002
【特許請求の範囲】
【請求項１】
キー入力手段、指紋入力手段及び虹彩入力手段から選択した少なくとも１つの入力手段と、電源ＯＦＦ操作時に前記入力手段への入力を催促し、入力された情報予め登録された情報とを比較照合する認証手段と、前記認証の成否に応じて緊急メッセージを作成し、予め登録された送信先へ送信する緊急メッセージ送信手段とを備えた携帯電話端末と、
前記携帯電話端末が送信した緊急メッセージを受信し記録する記録手段と、予め予め登録された転送先へ前記緊急メッセージを転送する転送手段とを備えた基地局のセンターサーバとを含む緊急メッセージ送信システム。
【請求項２】
前記携帯電話端末は、前記送信先及び前記転送先を指定する手段と、前記緊急メッセージの保存先として前記携帯電話端末または前記センターサーバを指定する手段とを備える請求項１記載の緊急メッセージ送信システム。
【請求項３】
前記緊急メッセージは、前記携帯電話端末が電源ＯＦＦ操作された旨を示す情報と、電源ＯＦＦ操作の日時情報と、電源ＯＦＦ操作時における位置情報とを含む請求項１又は２記載の緊急メッセージ送信システム。
【請求項４】
前記携帯電話端末は、ＧＰＳから取得した位置情報または基地局から取得した基地局セル位置情報を前記位置情報として前記緊急メッセージを作成する請求項３記載の緊急メッセージ送信システム。
【請求項５】
前記携帯電話端末は、電源ＯＦＦ操作時に静止画像または動画像を撮影可能なカメラと、前記緊急メッセージに、前記カメラで撮影した所定枚数または時間の前記静止画像または動画像のデータを添付して送信する手段とを備える請求項１から４のいずれか一項記載の緊急メッセージ送信システム。
【請求項６】
前記静止画像または動画像のデータをパスワード付きで暗号化する手段を備える請求項５記載の緊急メッセージ送信システム。
【請求項７】
前記携帯電話端末は、電源ＯＦＦ操作時に音声を録音可能なマイクと、前記緊急メッセージに、前記マイクで録音した所定時間の前記音声のデータを添付して送信する手段とを備える請求項１から６のいずれか一項記載の緊急メッセージ送信システム。
【請求項８】
前記音声のデータをパスワード付きで暗号化する手段を備える請求項７記載の緊急メッセージ送信システム。
【発明の詳細な説明】
【技術分野】
【０００１】
本発明は、電源ＯＦＦの操作を判断して緊急メッセージの送信を行う携帯電話端末と、緊急メッセージの受信及び記録を行う基地局のセンターサーバとを含む緊急メッセージ送信システムに関する。
【背景技術】
【０００２】
近年、携帯電話端末の普及率は９０％以上に達し、それまで低かった子どもの保有率も上昇している。保護者が子どもに携帯電話を持たる主な理由として、「緊急連絡用」「居場所確認用」がある。昨今の社会情勢から、今後は防犯用途としての携帯電話端末の利用が増大し、一層のサービス向上が望まれると考えられる。
【０００３】
携帯電話端末に搭載されている緊急連絡機能には、所定のキー入力を行うと通常の電話モードから緊急通知モードへ移行し、セキュリティセンターへ通知を行うと共に、携帯電話端末の表示を消灯し、以降はキー入力に対応した表示を行わないものがある（例えば、特許文献１参照）。
【０００４】
また、非常ボタンを操作すると携帯電話端末がウェブサイトに接続するという通報アプリケーションを選択し、ダウンロードして実行することで緊急通報が行えるシステムも提案されている（例えば、特許文献２参照）。
【特許文献１】特開２００５−１２３８８２号公報  第１頁〜第３頁  図１
【特許文献２】特開２００５−１２０３１号公報  第１頁〜第４頁  図１
【発明の開示】
【発明が解決しようとする課題】
【０００５】
しかし、子どもに関する悪質な事件などでは、加害者が、連れ去った子どもの所有する携帯電話端末を取り上げ、更には電源を切るという事態も多発している。従って、子供が自身の携帯電話端末を利用して救助を求めることが困難な状況では、上記従来の携帯電話端末の通報機能は有効ではないという問題点があった。
【０００６】
本発明は、事件などで携帯電話端末を自ら使用できない状況になり、悪意を持って携帯電話端末の電源がＯＦＦ操作されても救助を求める通報を的確に行うことができる緊急メッセージ送信システムを提供することを目的とする。
【課題を解決するための手段】
【０００７】
本発明の緊急メッセージ送信システムは、キー入力手段と、電源ＯＦＦ操作時に暗証番号のキー入力を催促し、入力された暗証番号と予め登録された暗証番号とを比較照合する暗証番号認証手段と、前記認証の成否に応じて緊急メッセージを作成し、予め登録された送信先へ送信する緊急メッセージ送信手段とを備えた携帯電話端末と、前記携帯電話端末が送信した緊急メッセージを受信し記録する記録手段と、予め予め登録された転送先へ前記緊急メッセージを転送する転送手段とを備えた基地局のセンターサーバとを含む。
【０００８】
上記構成によれば、暗証番号の照合により悪意のある電源ＯＦＦ操作であるか否かを判断して緊急メッセージを送信するので、携帯電話端末の所有者が自ら携帯電話端末を操作できないような状況においても、救助を求める緊急メッセージを適切に送信することができる。
【０００９】
本発明において、前記携帯電話端末は、前記送信先及び前記転送先を指定する手段と、前記緊急メッセージの保存先として前記携帯電話端末または前記センターサーバを指定する手段とを備える。上記構成によれば、事件の加害者等の特定に有効な緊急メッセージが確実に保存されるので、効果的な捜索や救助を行うことができる。
【００１０】
本発明において、前記緊急メッセージは、前記携帯電話端末が電源ＯＦＦ操作された旨を示す情報と、電源ＯＦＦ操作の日時情報と、電源ＯＦＦ操作時における位置情報とを含む。上記構成によれば、事件の加害者等の特定に有効な情報が緊急メッセージに付加されるので、効果的な捜索や救助を行うことができる。
【００１１】
本発明において、前記携帯電話端末は、ＧＰＳから取得した位置情報または基地局から取得した基地局セル位置情報を前記位置情報として前記緊急メッセージを作成する。上記構成によれば、ＧＰＳを搭載しない携帯電話端末や何等かの理由によりＧＰＳから位置情報を取得できない場合でも位置を把握できるので、効果的な捜索や救助を行うことができる。
【００１２】
本発明において、前記携帯電話端末は、電源ＯＦＦ操作時に静止画像または動画像を撮影可能なカメラと、前記緊急メッセージに、前記カメラで撮影した所定枚数または時間の前記静止画像または動画像のデータを添付して送信する手段とを備える。上記構成によれば、電源ＯＦＦ操作時における有効な画像情報を緊急メッセージに付加することができるので、効果的な捜索や救助を行うことができる。
【００１３】
本発明において、前記静止画像または動画像のデータをパスワード付きで暗号化する手段を備える。上記構成によれば、セキュリティの高いデータ送信を行うことができる。
【００１４】
本発明において、前記携帯電話端末は、電源ＯＦＦ操作時に音声を録音可能なマイクと、前記緊急メッセージに、前記マイクで録音した所定時間の前記音声のデータを添付して送信する手段とを備える。上記構成によれば、電源ＯＦＦ操作時における有効な音声情報を緊急メッセージに付加することができるので、効果的な捜索や救助を行うことができる。
【００１５】
本発明において、前記音声のデータをパスワード付きで暗号化する手段を備える。上記構成によれば、セキュリティの高いデータ送信を行うことができる。
【００１６】
本発明において、入力手段として指紋入力手段及び／又は虹彩入力手段を選択した場合は、前記緊急メッセージ送信手段は、指紋情報及び／又は虹彩情報を添付した緊急メッセージを作成し送信してもよい。
【発明の効果】
【００１７】
本発明によれば、電源ＯＦＦの操作が本来の携帯電話端末所有者によるものであるのか、あるいは事件の加害者等によるものであるかを判定して緊急メッセージを送信するので、携帯電話端末の所有者が自ら携帯電話端末を操作できないような状況においても、救助を求める緊急メッセージを適切に送信することができる。
【発明を実施するための最良の形態】
【００１８】
図１は、本発明の実施の形態１における緊急メッセージ送信システムのシステム構成を示す模式図である。緊急メッセージ送信システムは、携帯電話端末１００と、基地局３００のセンターサーバ２００とで構成される。
【００１９】
携帯電話端末１００は、キー入力部１０、暗証番号認証部２０、緊急メッセージ送信部３０、制御部４０、ＧＰＳ装置５０、デジタルカメラ６０、マイク７０を備える。キー入力部１０は、暗証番号のキー入力が可能なキーボードなどのキー入力装置で構成される。尚、これは電話の際に使用する数字キーを含むキーボードと兼用であってかまわない。暗証番号認証部２０は、キー入力部１０を介して入力された内容と、携帯電話端末内に端末の所有者が予め登録した暗証番号とを比較照合し、携帯電話端末１００の本来の所有者（または使用が認められた者）であるか否かの認証を行う。緊急メッセージ送信部３０は、上記の認証結果に応じて後述する内容の緊急メッセージを送信する。
【００２０】
制御部４０は、携帯電話端末１００全体の動作を統括制御する部分で、上記のキー入力検知動作や認証動作、緊急メッセージ送信動作に加え、後述するＧＰＳ装置５０、デジタルカメラ６０、マイク７０の動作を制御する。また、その他にも、図示しない電話機能部の動作制御などを行う。実施の形態１では、暗証番号認証部２０と制御部４０が暗証番号認証手段としての機能を担い、緊急メッセージ送信部３０と制御部４０が緊急メッセージ送信手段としての機能を担う。
【００２１】
ＧＰＳ装置５０は、公知のＧＰＳ（Global Positioning System）ユニットで構成され、現在地の位置情報を提供する。尚、何らかの理由でＧＰＳ装置５０からの位置情報を取得できない場合は、基地局セルから基地局のセル情報を取得することで位置情報の代用とすることができる。デジタルカメラ６０は、公知のデジタルカメラユニットで構成され、動画像または静止画像情報を提供する。また、マイク７０は、音声情報を提供する。
【００２２】
センターサーバ２００は、緊急メッセージ記録部８０、緊急メッセージ転送部９０を備える。緊急メッセージ記録部８０は、携帯電話端末１００から送信される緊急メッセージを受信して記録する。また、緊急メッセージ転送部９０は、予め登録された転送先情報に従って、受信した緊急メッセージを別な携帯電話端末４００へ転送する。
【００２３】
図２は、本発明の実施の形態１における緊急メッセージ送信システムの、携帯電話端末の暗証番号認証動作手順を示すフローチャートである。まず、携帯電話端末１００の暗証番号認証部２０は、キー入力部１０を介して暗証番号の入力を催促する（ステップＳ１０１）。入力の催促は、携帯電話端末１００の画像表示部（図示省略）への表示やスピーカ（図示省略）からの音声により行う。
【００２４】
暗証番号認証部２０は、入力内容と予め登録された暗証番号とを比較照合する（ステップＳ１０２）。図３は、予め携帯電話端末１００に登録された暗証番号に関するテーブルを概念的に示す図である。図に示すように、複数の暗証番号が登録可能で、緊急メッセージを送信する暗証番号と送信しない暗証番号を登録することができる。暗証番号認証部２０は、テーブルを参照して、入力内容が緊急メッセージを送信する暗証番号であるか否かを判定し、送信する暗証番号である場合は緊急メッセージ送信フラグをＯＮにする（ステップＳ１０３）。一方、緊急メッセージを送信しない暗証番号である場合は緊急メッセージ送信フラグをＯＦＦにする（ステップＳ１０４）。以上で、暗証番号認証動作が終了する。
【００２５】
図４は、本発明の実施の形態１における緊急メッセージ送信システムの、携帯電話端末の緊急メッセージ送信動作手順を示すフローチャートである。まず、携帯電話端末１００の緊急メッセージ送信部３０は、緊急メッセージの送信フラグの状態（ＯＮ／ＯＦＦ）を判断する（ステップＳ１１０）。送信フラグがＯＮである場合、緊急メッセージ送信部３０は、予め携帯電話端末１００に登録された緊急メッセージ設定テーブルを参照してメッセージ内容を決定する（ステップＳ１１１）。
【００２６】
図５は、緊急メッセージ設定テーブルを概念的に示す図である。緊急メッセージに付加する情報として、位置情報を送信するか否かを示す指定（位置情報送信ＯＮ／ＯＦＦ６１０）、時刻情報を送信するか否かを示す指定（時刻情報送信ＯＮ／ＯＦＦ６２０）、音声情報を送信するか否かを示す指定（音声情報送信ＯＮ／ＯＦＦ６３０）と音声情報を取得する時間の指定（音声情報取得時間指定６３１）、動画情報を送信するか否かを示す指定（動画情報送信ＯＮ／ＯＦＦ６４０）と動画情報を取得する時間の指定（動画情報取得時間指定６４１）、静止画情報を送信するか否かを示す指定（静止画情報送信ＯＮ／ＯＦＦ６５０）と静止画情報を取得する枚数の指定（静止画情報取得枚数指定６５１）、登録されていない指紋情報を送信するか否かを示す指定（指紋情報送信ＯＮ／ＯＦＦ６６０）、登録されていない虹彩情報を送信するか否かを示す指定（虹彩情報送信ＯＮ／ＯＦＦ６６１）、緊急メッセージの送信先の指定（緊急メッセージ送信先アドレス情報６７０）、携帯電話端末内に保存する緊急メッセージの内容の指定（緊急メッセージ内部保存内容指定情報６８０）、暗号化するためのパスワード（暗号化パスワード６９０）、などが設定可能である。
【００２７】
図６は、緊急メッセージの送信先の指定（緊急メッセージ送信先アドレス情報６７０）に関わる送信先設定テーブルを概念的に示す図である。それぞれの送信先について、緊急メッセージを送信するか否かのフラグ指定が可能である。
【００２８】
緊急メッセージ送信部３０は、参照した緊急メッセージ設定テーブルの設定に基づいて必要な情報を取得して（ステップＳ１１２）、緊急メッセージとして送信する（ステップＳ１１３）。一方、ステップＳ１１０の送信フラグ状態の判断においてフラグがＯＦＦの場合、携帯電話端末１００の電源をＯＦＦにする（ステップＳ１１４）。以上で、緊急メッセージ送信動作が終了する。
【００２９】
図７は、本発明の実施の形態１における緊急メッセージ送信システムの、センターサーバの緊急メッセージ受信及び転送動作手順を示すフローチャートである。センターサーバ２００は、携帯電話端末１００からの緊急メッセージを受信して（ステップＳ１２０）、サーバ内に記録する（ステップＳ１２１）。そして、予めセンターサーバ２００に登録された転送先設定テーブルを参照して受信した緊急メッセージを転送する（ステップＳ１２２）。図８は、緊急メッセージの転送先設定テーブルを概念的に示す図である。それぞれの転送先について、緊急メッセージを転送するか否かのフラグ指定が可能である。
【００３０】
実施の形態１の緊急メッセージ送信システムによれば、携帯電話端末に誤った暗証番号を入力すると、本来の所有者ではないと判断して緊急メッセージが送信されるため、悪意を持って携帯電話端末の電源がＯＦＦ操作されても救助を求める通報を的確に行うことができる。
【００３１】
図９は、本発明の実施の形態２における緊急メッセージ送信システムのシステム構成を示す模式図である。緊急メッセージ送信システムは、携帯電話端末１０１と、基地局３００のセンターサーバ２００とで構成される。携帯電話端末１０１は、指紋情報入力部１１、指紋認証部２１、緊急メッセージ送信部３０、制御部４１、ＧＰＳ装置５０、デジタルカメラ６０、マイク７０を備える。
【００３２】
指紋情報入力部１１は、指紋情報の入力が可能な公知の指紋入力装置で構成される。指紋認証部２１は、指紋情報入力部１１を介して入力された指紋情報（指紋のパターン）と、携帯電話端末内に端末の所有者が予め登録した指紋情報とを比較照合し、携帯電話端末１０１の本来の所有者（または使用が認められた者）であるか否かの認証を行う。緊急メッセージ送信部３０は、上記の認証結果に応じて緊急メッセージを送信する。
【００３３】
制御部４１は、携帯電話端末１０１全体の動作を統括制御する部分で、上記の指紋情報入力検知動作や認証動作、緊急メッセージ送信動作に加え、ＧＰＳ装置５０、デジタルカメラ６０、マイク７０の動作を制御する。実施の形態２では、指紋認証部２１と制御部４１が指紋認証手段としての機能を担い、緊急メッセージ送信部３０と制御部４１が緊急メッセージ送信手段としての機能を担う。
【００３４】
ＧＰＳ装置５０、デジタルカメラ６０、マイク７０は、実施の形態１のそれと同じであるため説明を省略する。センターサーバ２００は、緊急メッセージ記録部８０と緊急メッセージ転送部９０とで構成される。尚、センターサーバ２００の構成も実施の形態１のそれと同じであるため説明を省略する。
【００３５】
図１０は、本発明の実施の形態２における緊急メッセージ送信システムの、携帯電話端末の指紋認証動作手順を示すフローチャートである。まず、携帯電話端末１０１の指紋認証部２１は、指紋情報入力部１１を介して指紋情報の入力を催促する（ステップＳ２０１）。入力の催促は、携帯電話端末１０１の画像表示部（図示省略）への表示やスピーカ（図示省略）からの音声により行う。
【００３６】
指紋認証部２１は、入力内容と予め登録された指紋情報とを比較照合する（ステップＳ２０２）。図１１は、予め携帯電話端末１０１に登録された指紋情報に関するテーブルを概念的に示す図である。図に示すように、複数の指紋情報が登録可能で、緊急メッセージを送信する指紋情報と送信しない指紋情報を登録することができる。指紋認証部２１は、テーブルを参照して、入力した指紋情報が緊急メッセージを送信する指紋情報であるか否かを判定し、送信する指紋情報である場合は緊急メッセージ送信フラグをＯＮにする（ステップＳ２０３）。一方、緊急メッセージを送信しない指紋情報である場合は緊急メッセージ送信フラグをＯＦＦにする（ステップＳ２０４）。以上で、指紋認証動作が終了する。
【００３７】
本発明の実施の形態２における緊急メッセージ送信システムの、携帯電話端末の緊急メッセージ送信動作は、実施の形態１における動作手順（即ち、図４のフローチャート）と同じであるため、説明を省略する。本発明の実施の形態２における緊急メッセージ送信システムの、センターサーバの緊急メッセージ受信及び転送動作は、実施の形態１における動作手順（即ち、図７のフローチャート）と同じであるため、説明を省略する。
【００３８】
実施の形態２の緊急メッセージ送信システムによれば、携帯電話端末に異なる指紋情報を入力すると、本来の所有者ではないと判断して緊急メッセージが送信されるため、悪意を持って携帯電話端末の電源がＯＦＦ操作されても救助を求める通報を的確に行うことができる。
【００３９】
図１２は、本発明の実施の形態３における緊急メッセージ送信システムのシステム構成を示す模式図である。緊急メッセージ送信システムは、携帯電話端末１０２と、基地局３００のセンターサーバ２００とで構成される。携帯電話端末１０２は、虹彩情報入力部１２、虹彩認証部２２、緊急メッセージ送信部３０、制御部４２、ＧＰＳ装置５０、デジタルカメラ６０、マイク７０を備える。
【００４０】
虹彩情報入力部１２は、虹彩情報の入力が可能な公知の虹彩入力装置で構成される。虹彩認証部２２は、虹彩情報入力部１２を介して入力された虹彩情報（虹彩のパターン）と、携帯電話端末内に端末の所有者が予め登録した虹彩情報とを比較照合し、携帯電話端末１０２の本来の所有者（または使用が認められた者）であるか否かの認証を行う。緊急メッセージ送信部３０は、上記の認証結果に応じて緊急メッセージを送信する。
【００４１】
制御部４２は、携帯電話端末１０２全体の動作を統括制御する部分で、上記の虹彩情報入力検知動作や認証動作、緊急メッセージ送信動作に加え、ＧＰＳ装置５０、デジタルカメラ６０、マイク７０の動作を制御する。実施の形態３では、虹彩認証部２２と制御部４２が虹彩認証手段としての機能を担い、緊急メッセージ送信部３０と制御部４２が緊急メッセージ送信手段としての機能を担う。
【００４２】
ＧＰＳ装置５０、デジタルカメラ６０、マイク７０は、実施の形態１のそれと同じであるため説明を省略する。センターサーバ２００は、緊急メッセージ記録部８０と緊急メッセージ転送部９０とで構成される。尚、センターサーバ２００の構成も実施の形態１のそれと同じであるため説明を省略する。
【００４３】
図１３は、本発明の実施の形態３における緊急メッセージ送信システムの、携帯電話端末の虹彩認証動作手順を示すフローチャートである。まず、携帯電話端末１０１の虹彩認証部２２は、虹彩情報入力部１２を介して虹彩情報の入力を催促する（ステップＳ３０１）。入力の催促は、携帯電話端末１０２の画像表示部（図示省略）への表示やスピーカ（図示省略）からの音声により行う。
【００４４】
虹彩認証部２２は、入力内容と予め登録された虹彩情報とを比較照合する（ステッＳ３０２）。図１４は、予め携帯電話端末１０１に登録された虹彩情報に関するテーブルを概念的に示す図である。図に示すように、複数の虹彩情報が登録可能で、緊急メッセージを送信する虹彩情報と送信しない虹彩情報を登録することができる。虹彩認証部２２は、テーブルを参照して、入力した虹彩情報が緊急メッセージを送信する虹彩情報であるか否かを判定し、送信する虹彩情報である場合は緊急メッセージ送信フラグをＯＮにする（ステップＳ３０３）。一方、緊急メッセージを送信しない虹彩情報である場合は緊急メッセージ送信フラグをＯＦＦにする（ステップＳ３０４）。以上で、虹彩認証動作が終了する。
【００４５】
本発明の実施の形態３における緊急メッセージ送信システムの、携帯電話端末の緊急メッセージ送信動作は、実施の形態１における動作手順（即ち、図４のフローチャート）と同じであるため、説明を省略する。本発明の実施の形態３における緊急メッセージ送信システムの、センターサーバの緊急メッセージ受信及び転送動作は、実施の形態１における動作手順（即ち、図７のフローチャート）と同じであるため、説明を省略する。
【００４６】
実施の形態３の緊急メッセージ送信システムによれば、携帯電話端末に異なる虹彩情報を入力すると、本来の所有者ではないと判断して緊急メッセージが送信されるため、悪意を持って携帯電話端末の電源がＯＦＦ操作されても救助を求める通報を的確に行うことができる。
【００４７】
図１５は、本発明の実施の形態４における緊急メッセージ送信システムのシステム構成を示す模式図である。緊急メッセージ送信システムは、携帯電話端末１０３と、基地局３００のセンターサーバ２００とで構成される。携帯電話端末１０３は、キー入力部１０、指紋情報入力部１１、虹彩情報入力部１２、暗証番号認証部２０、指紋認証部２１、虹彩認証部２２、緊急メッセージ送信部３０、制御部４３、ＧＰＳ装置５０、デジタルカメラ６０、マイク７０を備える。
【００４８】
キー入力部１０、指紋情報入力部１１、虹彩情報入力部１２は、実施の形態１から３でそれぞれ説明したものと同じであるので説明を省略する。暗証番号認証部２０、指紋認証部２１、虹彩認証部２２も、実施の形態１から３でそれぞれ説明したものと同じであるので説明を省略する。これらの認証部のどれを機能させるかは、後述する制御部４３に予め設定されており、本実施の形態の緊急メッセージ送信システムでは、少なくとも２つ以上の認証を行うことにより、認証精度を向上させることができる。緊急メッセージ送信部３０は、上記複数の認証部での認証結果に応じて緊急メッセージを送信する。
【００４９】
制御部４３は、携帯電話端末１０３全体の動作を統括制御する部分で、暗証番号、指紋情報、虹彩情報の各情報の入力検知動作やそれぞれの認証動作、緊急メッセージ送信動作に加え、ＧＰＳ装置５０、デジタルカメラ６０、マイク７０の動作を制御する。
【００５０】
尚、本実施の形態では、キー入力部１０、指紋情報入力部１１、虹彩情報入力部１２、及びそれぞれに対応する暗証番号認証部２０、指紋認証部２１、虹彩認証部２２は、すべて動作させるように設定してもよいし、２つを選択して動作させるように設定してもよい。入力部及び認証部の選択状況は、制御部４３に設定される。尚、入力部及び認証部の選択は、図示しないスイッチにより携帯電話端末１０３の所有者が指定し、制御部４３に設定されるようにしてもよい。
【００５１】
ＧＰＳ装置５０、デジタルカメラ６０、マイク７０は、実施の形態１のそれと同じであるため説明を省略する。センターサーバ２００は、緊急メッセージ記録部８０、緊急メッセージ転送部９０を備える。尚、センターサーバ２００の構成も実施の形態１のそれと同じであるため説明を省略する。
【００５２】
図１６は、本発明の実施の形態４における緊急メッセージ送信システムの、携帯電話端末の認証動作手順を示すフローチャートである。はじめに、制御部４３は、暗証番号による認証のＯＮ／ＯＦＦを選択状況の設定内容から判断し（ステップＳ４０１）、ＯＮの場合は、キー入力部１０、暗証番号認証部２０、緊急メッセージ送信部３０による暗証番号判定処理を行う（ステップＳ４０２）。暗証番号判定処理手順は、実施の形態１における図２のフローチャートに示す手順と同じであるため説明を省略する。
【００５３】
制御部４３は、指紋情報による認証のＯＮ／ＯＦＦを選択状況の設定内容から判断し（ステップＳ４０３）、ＯＮの場合は、指紋情報入力部１１、指紋認証部２１、緊急メッセージ送信部３０による指紋判定処理を行う（ステップＳ４０４）。指紋判定処理手順は、実施の形態２における図１０のフローチャートに示す手順と同じであるため説明を省略する。
【００５４】
制御部４３は、虹彩情報による認証のＯＮ／ＯＦＦを選択状況の設定内容から判断し（ステップＳ４０５）、ＯＮの場合は、虹彩情報入力部１２、虹彩認証部２２、緊急メッセージ送信部３０による虹彩判定処理を行う（ステップＳ４０６）。虹彩判定処理手順は、実施の形態３における図１３のフローチャートに示す手順と同じであるため説明を省略する。上記のように、選択した認証手段について認証動作が実行される。例えば、暗証番号と指紋による認証を選択している場合、暗証番号と指紋の両方が予め登録しているものと一致しなければ緊急メッセージが送信されることになる。以上で、認証動作が終了する。
【００５５】
図１７は、本発明の実施の形態４における緊急メッセージ送信システムの、携帯電話端末の緊急メッセージ送信動作手順を示すフローチャートである。まず、携帯電話端末１０３の制御部４３は、認証を行った項目を把握し（ステップＳ４１０）、認証を行ったすべての項目について以下を確認する。緊急メッセージ送信部３０は、緊急メッセージの送信フラグの状態（ＯＮ／ＯＦＦ）を判断する（ステップＳ４１１）。送信フラグがＯＮである場合、緊急メッセージ送信部３０は、予め携帯電話端末１０３に登録された緊急メッセージ設定テーブルを参照してメッセージ内容を決定する（ステップＳ４１２）。尚、緊急メッセージ設定テーブルは、実施の形態１の図５に示すものと同じである。
【００５６】
緊急メッセージ送信部３０は、参照した緊急メッセージ設定テーブルの設定に基づいて必要な情報を取得して（ステップＳ４１３）、緊急メッセージとして送信する（ステップＳ４１４）。一方、ステップＳ４１１の送信フラグ状態の判断においてフラグがＯＦＦの場合、携帯電話端末１０３の電源をＯＦＦにする（ステップＳ４１５）。以上で、緊急メッセージ送信動作が終了する。
【００５７】
本発明の実施の形態４における緊急メッセージ送信システムの、センターサーバの緊急メッセージ受信及び転送動作は、実施の形態１における動作手順（即ち、図７のフローチャート）と同じであるため、説明を省略する。
【００５８】
実施の形態４の緊急メッセージ送信システムによれば、選択した認証方法のすべてについて認証成功しないと、本来の所有者ではないと判断して緊急メッセージが送信されるため、悪意を持って携帯電話端末の電源がＯＦＦ操作されても救助を求める通報を的確に行うことができる。
【産業上の利用可能性】
【００５９】
本発明の緊急メッセージ送信システムは、携帯電話端末を自ら使用できない状況になり、悪意を持って携帯電話端末の電源がＯＦＦ操作されても救助を求める通報を的確に行うことができるという効果を有し、防犯機能を備えた携帯電話端末として有用である。
【図面の簡単な説明】
【００６０】
【図１】本発明の実施の形態１における緊急メッセージ送信システムのシステム構成を示す模式図
【図２】本発明の実施の形態１における緊急メッセージ送信システムの、携帯電話端末の暗証番号認証動作手順を示すフローチャート
【図３】予め携帯電話端末に登録された暗証番号に関するテーブルを概念的に示す図
【図４】本発明の実施の形態１における緊急メッセージ送信システムの、携帯電話端末の緊急メッセージ送信動作手順を示すフローチャート
【図５】緊急メッセージ設定テーブルを概念的に示す図
【図６】緊急メッセージの送信先の指定に関わる送信先設定テーブルを概念的に示す図
【図７】本発明の実施の形態１における緊急メッセージ送信システムの、センターサーバの緊急メッセージ受信及び転送動作手順を示すフローチャート
【図８】緊急メッセージの転送先設定テーブルを概念的に示す図
【図９】本発明の実施の形態２における緊急メッセージ送信システムのシステム構成を示す模式図
【図１０】本発明の実施の形態２における緊急メッセージ送信システムの、携帯電話端末の指紋認証動作手順を示すフローチャート
【図１１】予め携帯電話端末に登録された指紋情報に関するテーブルを概念的に示す図
【図１２】本発明の実施の形態３における緊急メッセージ送信システムのシステム構成を示す模式図
【図１３】本発明の実施の形態３における緊急メッセージ送信システムの、携帯電話端末の虹彩認証動作手順を示すフローチャート
【図１４】予め携帯電話端末に登録された虹彩情報に関するテーブルを概念的に示す図
【図１５】本発明の実施の形態４における緊急メッセージ送信システムのシステム構成を示す模式図
【図１６】本発明の実施の形態４における緊急メッセージ送信システムの、携帯電話端末の認証動作手順を示すフローチャート
【図１７】本発明の実施の形態４における緊急メッセージ送信システムの、携帯電話端末の緊急メッセージ送信動作手順を示すフローチャート
【符号の説明】
【００６１】
１０  キー入力部
１１  指紋情報入力部
１２  虹彩情報入力部
２０  暗証番号認証部
２１  指紋認証部
２２  虹彩認証部
３０  緊急メッセージ送信部
４０、４１、４２、４３  制御部
５０  ＧＰＳ装置
６０  デジタルカメラ
７０  マイク
８０  緊急メッセージ記録部
９０  緊急メッセージ転送部
１００、１０１、１０２、１０３  携帯電話端末
２００  センターサーバ
３００  基地局
４００  緊急メッセージ送信先の携帯電話端末
【図１】
2007173951.tif 000003
【図２】
2007173951.tif 000004
【図３】
2007173951.tif 000005
【図４】
2007173951.tif 000006
【図５】
2007173951.tif 000007
【図６】
2007173951.tif 000008
【図７】
2007173951.tif 000009
【図８】
2007173951.tif 000010
【図９】
2007173951.tif 000011
【図１０】
2007173951.tif 000012
【図１１】
2007173951.tif 000013
【図１２】
2007173951.tif 000014
【図１３】
2007173951.tif 000015
【図１４】
2007173951.tif 000016
【図１５】
2007173951.tif 000017
【図１６】
2007173951.tif 000018
【図１７】
2007173951.tif 000019